(57)【特許請求の範囲】
【請求項１】
学術文献に記載された技術の新規性の判断を支援するための方法であって、
前記学術文献内の文章の少なくとも一部を取得することと、
前記文章の少なくとも一部に基づいて、前記学術文献に記載された技術と同一または類似する技術を記載する先行文献を検索することと、
前記先行文献の存否を提示することと
を含み、前記取得することは、
前記文章内で既存技術であると明示または示唆する部分を抽出することと、
前記既存技術であると明示または示唆する部分に関連付けられる部分を取得することと
を含み、
前記検索することは、前記取得された部分に記載された技術と同一または類似する技術を記載する先行文献を検索することを含む、方法。
【請求項２】
前記取得することは、
前記文章内で技術を記載する部分を抽出することと、
前記抽出された部分のうち、新技術であると明示または示唆する部分および既存技術であると明示または示唆する部分に関連付けられる部分を除くことと、
残った部分を取得することと
を含み、
前記検索することは、前記残った部分に記載された技術と同一または類似する技術を記載する先行文献を検索することを含む、
請求項１に記載の方法。
【請求項３】
学術文献に記載された技術の新規性の判断を支援するための方法であって、
前記学術文献内の文章の少なくとも一部を取得することと、
前記文章の少なくとも一部に基づいて、前記学術文献に記載された技術と同一または類似する技術を記載する先行文献を検索することと、
前記先行文献の存否を提示することと
を含み、前記取得することは、
前記文章内で技術を記載する部分を抽出することと、
前記抽出された部分のうち、新技術であると明示または示唆する部分および既存技術であると明示または示唆する部分に関連付けられる部分を除くことと、
残った部分を取得することと
を含み、
前記検索することは、前記残った部分に記載された技術と同一または類似する技術を記載する先行文献を検索することを含む、方法
【請求項４】
前記文章内で技術を記載する部分を抽出することは、所定のキーワードを抽出することを含む、請求項２または請求項３に記載の方法。
【請求項５】
前記所定のキーワードは、時系列を示すキーワードを含む、請求項４に記載の方法。
【請求項６】
前記文章内で技術を記載する部分を抽出することは、所定のキーワードの密度が高い部分を抽出することを含む、請求項２または請求項３に記載の方法。
【請求項７】
前記除くことは、既存の技術を引用していることを明示または示唆する部分に関連付けられる部分を除くことを含む、請求項２〜６のいずれか一項に記載の方法。
【請求項８】
前記除くことは、特定のキーワードを含む部分に関連付けられる部分を除くことを含む、請求項２〜７のいずれか一項に記載の方法。
【請求項９】
前記取得することは、
前記文章内で新技術であると明示または示唆する部分を抽出することと、
前記新技術であると明示または示唆する部分に関連付けられる部分を取得することと
を含み、
前記検索することは、前記取得された部分に記載された技術と同一または類似する技術を記載する先行文献を検索することを含む、
請求項１〜８のいずれか一項に記載の方法。
【請求項１０】
前記検索された先行技術文献に基づいて、前記既存技術に付すべき引用文献を出力することをさらに含む、請求項１に記載の方法。
【請求項１１】
前記技術と同一または類似する技術を記載する先行文献は、複数の学術情報を格納するデータベースから抽出される、請求項１〜１０のいずれか一項に記載の方法。
【請求項１２】
前記先行文献が存在する場合、前記先行文献を出力することをさらに含む、請求項１〜１１のいずれか一項に記載の方法。
【請求項１３】
前記先行文献は前記技術との同一性または関連性に従って並べ替えて出力される、請求項１２に記載の方法。
【請求項１４】
学術文献に記載された技術の新規性の判断を支援するためのプログラムであって、前記プログラムは、プロセッサを備えるコンピュータにおいて実行され、前記プログラムは、
前記学術文献内の文章の少なくとも一部を取得することと、
前記文章の少なくとも一部に基づいて、前記学術文献に記載された技術と同一または類似する技術を記載する先行文献を検索することと、
前記先行文献の存否を提示することと
を含む処理を前記プロセッサに行わせ、前記取得することは、
前記文章内で既存技術であると明示または示唆する部分を抽出することと、
前記既存技術であると明示または示唆する部分に関連付けられる部分を取得することと
を含み、
前記検索することは、前記取得された部分に記載された技術と同一または類似する技術を記載する先行文献を検索することを含む、プログラム。
【請求項１５】
学術文献に記載された技術の新規性の判断を支援するためのプログラムであって、前記プログラムは、プロセッサを備えるコンピュータにおいて実行され、前記プログラムは、
前記学術文献内の文章の少なくとも一部を取得することと、
前記文章の少なくとも一部に基づいて、前記学術文献に記載された技術と同一または類似する技術を記載する先行文献を検索することと、
前記先行文献の存否を提示することと
を含む処理を前記プロセッサに行わせ、前記取得することは、
前記文章内で技術を記載する部分を抽出することと、
前記抽出された部分のうち、新技術であると明示または示唆する部分および既存技術であると明示または示唆する部分に関連付けられる部分を除くことと、
残った部分を取得することと
を含み、
前記検索することは、前記残った部分に記載された技術と同一または類似する技術を記載する先行文献を検索することを含む、プログラム。
【請求項１６】
学術文献に記載された技術の新規性の判断を支援するためのシステムであって、
前記学術文献内の文章の少なくとも一部を取得する取得手段と、
前記文章の少なくとも一部に基づいて、前記学術文献に記載された技術と同一または類似する技術を記載する先行文献を検索する検索手段と、
前記先行文献の存否を提示する出力手段と
を備え、前記取得手段は、
前記文章内で既存技術であると明示または示唆する部分を抽出することと、
前記既存技術であると明示または示唆する部分に関連付けられる部分を取得することと
を行うように構成され、
前記検索手段は、前記取得された部分に記載された技術と同一または類似する技術を記載する先行文献を検索するように構成されている、システム。
【請求項１７】
学術文献に記載された技術の新規性の判断を支援するためのシステムであって、
前記学術文献内の文章の少なくとも一部を取得する取得手段と、
前記文章の少なくとも一部に基づいて、前記学術文献に記載された技術と同一または類似する技術を記載する先行文献を検索する検索手段と、
前記先行文献の存否を提示する出力手段と
を備え、前記取得手段は、
前記文章内で技術を記載する部分を抽出することと、
前記抽出された部分のうち、新技術であると明示または示唆する部分および既存技術であると明示または示唆する部分に関連付けられる部分を除くことと、
残った部分を取得することと
を行うように構成され、
前記検索手段は、前記残った部分に記載された技術と同一または類似する技術を記載する先行文献を検索するように構成されている、システム。
【請求項１８】
学術文献に記載された技術の新規性を判断する方法であって、
前記学術文献内の文章の少なくとも一部を取得することと、
前記文章の少なくとも一部に基づいて、前記学術文献に記載された技術と同一または類似する技術を記載する先行文献を検索することと、
前記検索の結果に基づいて、前記技術の新規性を判断することと
を含み、前記取得することは、
前記文章内で既存技術であると明示または示唆する部分を抽出することと、
前記既存技術であると明示または示唆する部分に関連付けられる部分を取得することと
を含み、
前記検索することは、前記取得された部分に記載された技術と同一または類似する技術を記載する先行文献を検索することを含む、方法。
【請求項１９】
学術文献に記載された技術の新規性を判断する方法であって、
前記学術文献内の文章の少なくとも一部を取得することと、
前記文章の少なくとも一部に基づいて、前記学術文献に記載された技術と同一または類似する技術を記載する先行文献を検索することと、
前記検索の結果に基づいて、前記技術の新規性を判断することと
を含み、前記取得することは、
前記文章内で技術を記載する部分を抽出することと、
前記抽出された部分のうち、新技術であると明示または示唆する部分および既存技術であると明示または示唆する部分に関連付けられる部分を除くことと、
残った部分を取得することと
を含み、
前記検索することは、前記残った部分に記載された技術と同一または類似する技術を記載する先行文献を検索することを含む、方法。
【請求項２０】
学術文献に記載された内容の新規性の判断を支援するための方法であって、
前記学術文献内の文章の少なくとも一部を取得することと、
前記文章の少なくとも一部に基づいて、前記学術文献に記載された内容と同一または類似する内容を記載する先行文献を検索することと、
前記先行文献の存否を提示することと
を含み、前記取得することは、
前記文章内で既存の内容であると明示または示唆する部分を抽出することと、
前記既存の内容であると明示または示唆する部分に関連付けられる部分を取得することと
を含み、
前記検索することは、前記取得された部分に記載された内容と同一または類似する内容を記載する先行文献を検索することを含む、方法。
【請求項２１】
学術文献に記載された内容の新規性の判断を支援するための方法であって、
前記学術文献内の文章の少なくとも一部を取得することと、
前記文章の少なくとも一部に基づいて、前記学術文献に記載された内容と同一または類似する内容を記載する先行文献を検索することと、
前記先行文献の存否を提示することと
を含み、前記取得することは、
前記文章内で内容を記載する部分を抽出することと、
前記抽出された部分のうち、新規の内容であると明示または示唆する部分および既存の内容であると明示または示唆する部分に関連付けられる部分を除くことと、
残った部分を取得することと
を含み、
前記検索することは、前記残った部分に記載された内容と同一または類似する内容を記載する先行文献を検索することを含む、方法。
【請求項２２】
前記内容は、前記学術文献に記載された概念である、請求項２０または請求項２１に記載の方法。
【請求項２３】
前記内容は、前記学術文献に記載された実験結果である、請求項２０または請求項２１に記載の方法。
【発明の詳細な説明】
【技術分野】
【０００１】
本開示は、学術文献に記載された技術の新規性（新規技術性）の判断を支援するための方法、プログラム、およびシステム等に関する。
【背景技術】
【０００２】
従来、学術誌の編集者は、論文執筆者から投稿された論文をチェックし、投稿された論文を学術誌に掲載するか否か、あるいは改訂を必要とするか否かを決定する。その際、学術誌の編集者は、論文に記載されている技術に精通しているまたは論文に記載された知見の意義を評価できる査読者に査読を依頼し、査読者による査読結果に基づいて、論文の掲載、拒絶、改訂等の判断を行う。このような編集・査読ステップは、科学の健全な発展に必須である。
【０００３】
特許文献１は、投稿された論文内の文章の剽窃をチェックする技術を開示している。
【先行技術文献】
【特許文献】
【０００４】
【特許文献１】国際公開第２０１３／０４０３５７号
【発明の概要】
【課題を解決するための手段】
【０００５】
一つの局面において、本開示は、学術文献に記載された技術の新規性（新規技術性）の判断を支援するための方法、プログラム、およびシステムを提供する。
【０００６】
この局面において、本開示は、例えば、以下を提供する。
（項目１）
学術文献に記載された技術の新規性の判断を支援するための方法であって、
前記学術文献内の文章の少なくとも一部を取得することと、
前記文章の少なくとも一部に基づいて、前記学術文献に記載された技術と同一または類似する技術を記載する先行文献を検索することと、
前記先行文献の存否を提示することと
を含む、方法。
（項目２）
前記取得することは、
前記文章内で技術を記載する部分を抽出することと、
前記抽出された部分のうち、新技術であると明示または示唆する部分および既存技術であると明示または示唆する部分に関連付けられる部分を除くことと、
残った部分を取得することと
を含み、
前記検索することは、前記残った部分に記載された技術と同一または類似する技術を記載する先行文献を検索することを含む、
項目１に記載の方法。
（項目３）
前記文章内で技術を記載する部分を抽出することは、所定のキーワードを抽出することを含む、項目２に記載の方法。
（項目４）
前記所定のキーワードは、時系列を示すキーワードを含む、項目３に記載の方法。
（項目５）
前記文章内で技術を記載する部分を抽出することは、所定のキーワードの密度が高い部分を抽出することを含む、項目２に記載の方法。
（項目６）
前記除くことは、既存の技術を引用していることを明示または示唆する部分に関連付けられる部分を除くことを含む、項目２〜５のいずれか一項に記載の方法。
（項目７）
前記除くことは、特定のキーワードを含む部分に関連付けられる部分を除くことを含む、項目２〜６のいずれか一項に記載の方法。
（項目８）
前記取得することは、
前記文章内で新技術であると明示または示唆する部分を抽出することと、
前記新技術であると明示または示唆する部分に関連付けられる部分を取得することと
を含み、
前記検索することは、前記取得された部分に記載された技術と同一または類似する技術を記載する先行文献を検索することを含む、
項目１に記載の方法。
（項目９）
前記取得することは、
前記文章内で既存技術であると明示または示唆する部分を抽出することと、
前記既存技術であると明示または示唆する部分に関連付けられる部分を取得することと
を含み、
前記検索することは、前記取得された部分に記載された技術と同一または類似する技術を記載する先行文献を検索することを含む、
項目１に記載の方法。
（項目１０）
前記検索された先行技術文献に基づいて、前記既存技術に付すべき引用文献を出力することをさらに含む、項目９に記載の方法。
（項目１１）
前記技術と同一または類似する技術を記載する先行文献は、複数の学術情報を格納するデータベースから抽出される、項目１〜１０のいずれか一項に記載の方法。
（項目１２）
前記先行文献が存在する場合、前記先行文献を出力することをさらに含む、項目１〜１１のいずれか一項に記載の方法。
（項目１３）
前記先行文献は前記技術との同一性または関連性に従って並べ替えて出力される、項目１２に記載の方法。
（項目１４）
学術文献に記載された技術の新規性の判断を支援するためのプログラムであって、前記プログラムは、プロセッサを備えるコンピュータにおいて実行され、前記プログラムは、
前記学術文献内の文章の少なくとも一部を取得することと、
前記文章の少なくとも一部に基づいて、前記学術文献に記載された技術と同一または類似する技術を記載する先行文献を検索することと、
前記先行文献の存否を提示することと
を含む処理を前記プロセッサに行わせる、プログラム。
（項目１５）
学術文献に記載された技術の新規性の判断を支援するためのシステムであって、
前記学術文献内の文章の少なくとも一部を取得する取得手段と、
前記文章の少なくとも一部に基づいて、前記学術文献に記載された技術と同一または類似する技術を記載する先行文献を検索する検索手段と、
前記先行文献の存否を提示する出力手段と
を備える、システム。
（項目１６）
学術文献に記載された技術の新規性を判断する方法であって、
前記学術文献内の文章の少なくとも一部を取得することと、
前記文章の少なくとも一部に基づいて、前記学術文献に記載された技術と同一または類似する技術を記載する先行文献を検索することと、
前記検索の結果に基づいて、前記技術の新規性を判断することと
を含む、方法。
（項目１７）
学術文献に記載された内容の新規性の判断を支援するための方法であって、
前記学術文献内の文章の少なくとも一部を取得することと、
前記文章の少なくとも一部に基づいて、前記学術文献に記載された内容と同一または類似する内容を記載する先行文献を検索することと、
前記先行文献の存否を提示することと
を含む、方法。
（項目１８）
前記内容は、前記学術文献に記載された概念である、項目１７に記載の方法。
（項目１９）
前記内容は、前記学術文献に記載された実験結果である、請求項１７に記載の方法。
【０００７】
本開示において、上記１または複数の特徴は、明示された組み合わせに加え、さらに組み合わせて提供されうることが意図される。本発明のさらなる実施形態および利点は、必要に応じて以下の詳細な説明を読んで理解すれば、当業者に認識される。
【発明の効果】
【０００８】
本開示によれば、学術文献に記載された技術の新規性の判断を支援するための方法、プログラム、およびシステムを提供することができる。また、本開示によれば、学術文献に記載された技術の新規性を判断するための方法等も提供することができる、さらに、本開示によれば、学術文献に記載された内容の新規性の判断を支援するための方法等も提供することができる。
【図面の簡単な説明】
【０００９】
【図１Ａ】投稿された論文の編集・査読を支援するための新たなサービスのフローを説明する図。
【図１Ｂ】コンピュータシステム１００から編集者２０に提示され得るユーザインターフェースの一例を説明する図。
【図１Ｃ】コンピュータシステム１００から編集者２０に提示され得るユーザインターフェースの一例を説明する図。
【図１Ｄ】コンピュータシステム１００から編集者２０に提示され得るユーザインターフェースの一例を説明する図。
【図２】学術文献に記載された技術の新規性の判断を支援するためのシステム１００の構成の一例を示すブロック図。
【図３】プロセッサ部１２０の構成の一例を示すブロック図。
【図４】システム１００において行われる、学術文献に記載された技術の新規性の判断を支援するための処理の一例（処理４００）を示すフローチャート。
【図５】ステップＳ４０１における取得手段１２１による処理の一例（処理５００）を示すフローチャート。
【図６】ステップＳ４０１における取得手段１２１による処理の別の一例（処理６００）を示すフローチャート。
【図７】ステップＳ４０１における取得手段１２１による処理の別の一例（処理７００）を示すフローチャート。
【図８】編集者に提示される画面の一例（画面８００）を示す図。
【図９】査読者に提示される画面の一例（画面９００）を示す図。
【発明を実施するための形態】
【００１０】
以下、本開示を説明する。本明細書の全体にわたり、単数形の表現は、特に言及しない限り、その複数形の概念をも含むことが理解されるべきである。従って、単数形の冠詞（例えば、英語の場合は「ａ」、「ａｎ」、「ｔｈｅ」など）は、特に言及しない限り、その複数形の概念をも含むことが理解されるべきである。また、本明細書において使用される用語は、特に言及しない限り、当該分野で通常用いられる意味で用いられることが理解されるべきである。したがって、他に定義されない限り、本明細書中で使用されるすべての専門用語および科学技術用語は、本開示の属する分野の当業者によって一般的に理解されるのと同じ意味を有する。矛盾する場合、本明細書（定義を含めて）が優先する。
【００１１】
（総論）
（投稿された論文の編集・査読を支援するための新たなサービス）
投稿された論文には、「新しい」技術を開発したことを謳うものがある。理想的には、論文の投稿者が、過去の論文等を検索して、その技術が真に新しい技術であることを保証するべきである。また、学術誌の編集者および査読者も、過去の論文等の先行技術を検索して、その技術が新しい技術であることを確認するべきであり、同一または類似する技術が既に存在する場合には、その旨を論文投稿者に通知し、論文の内容を訂正させるべきである。
【００１２】
しかしながら、論文の投稿者が十分な検索スキルを有していない場合には、先行技術検索が不十分となり、自らの技術を“新規”であると誤認して論文に記載してしまうことがある。あるいは、論文の投稿者が論文掲載の可能性を上げることを企み、新規でない技術を“新規”技術として論文に意図的に記載してしまうことがある。学術誌の編集者および査読者が十分な先行技術検索を行わなかったときには、学術誌の編集者および査読者が論文の投稿者の誤認または意図を見破れずに、新規でない技術が“新規”技術として学術誌に掲載されてしまうことがある。本開示の発明者も、自らが開発した技術が、他の投稿者によって“新規”技術として記載されている論文に遭遇した。本開示の発明者は、このような状況により、技術の真の開発者が有耶無耶になることは、科学の健全な発展を阻害してしまうと考え、このような状況を解消することが可能なサービスまたはツールの必要性を見出した。
【００１３】
そこで、本開示の発明者は、投稿された論文の編集・査読を支援するための新たなサービスを開発した。そのサービスとは、投稿された論文に記載された技術が“新規”技術であるか否かの判断を支援するために、投稿された論文に記載された技術と同一または類似する技術を検索して、学術誌の編集者・査読者に提示するサービスである。また、このサービスでは、投稿された論文に記載された技術に付された引用文献が、その技術に対して適切なものであるか否かの判断を支援するために、投稿された論文内で引用文献が付された部分に記載された技術と同一または類似する技術を検索して、引用文献として適した先行文献を学術誌の編集者・査読者に提示することも可能である。総じて、このサービスは、学術文献に記載された技術の新規性の判断を支援することが可能である。
【００１４】
（定義）
本明細書において「学術文献」とは、新しい研究成果を内容とし、一定の構成を持った論文または文献をいい、通常、第三者の査読を経て公開されるものをいう。公開形式は種々あるが、学術誌に掲載されることが多く、その多くはデータベースにも格納されている。
【００１５】
本明細書において「技術」とは、学術文献における研究内容を証明するための科学的な手法をいう。代表的には、学術文献において証明しようとするテーマがあり、そのテーマを証明する方法論を指す。従って、ある学術文献において記載されている「技術」は、方法論（より具体的には、研究手法）とも表現することができ、必ずしもその学術文献が対象とする研究内容自体と直接関係がないことも多い。
【００１６】
本明細書において技術が「同一」であるとは、比較する技術同士において本質的な技術工程及び時系列が共通していて、かつ、その効果および作用に実質的な違いがないことをいい、「類似する」とは技術工程間に共通のものが存在することをいい、通常「同一」の概念を包含するが、狭義には、比較する技術同士が同一ではないことをいうことがある。ここで、「時系列が共通する」とは、工程の時系列が一致する場合のみならず、工程が時系列的に可換である場合（すなわち、工程の前後を入れ替えても同じ目的を達成することができる場合）も含むものとする。類似のものを検索する例としては、既存の検索ソフトウェアにおいて、類似度を分析表示するエンジンを用い、一定レベルの類似度があるものを表示してもよく、新たに、独自のクライテリアを設けて、ソフトウェアモジュールを設計してもよい。その際の「類似」の定義は、上述のとおりである。
【００１７】
本明細書において「新規性」または「新規技術性」とは、公開された情報において、まだ開示がなされていないことを言う。学術文献における技術の新規性または新規技術性は、その技術が先行文献に記載された技術と少なくとも同一でないことをいい、より代表的には先行文献に記載された技術と同一でなく類似もしていないことを言う。このような同一および類似については、ある基準を設定することができ、その基準をコンピュータのハードウェアに設定することより同一または類似の技術の候補の検索処理をすることができる。
【００１８】
本明細書において先行文献にある技術が「記載された」とは、査読者が有するべきと期待される知識をもって先行文献を判断する場合に、その技術に関する思想が現れていると判断できることをいう。このような記載の有無の判断については、その基準をコンピュータのハードウェアに設定することによりコンピュータのハードウェアにより記載されているかどうかの検索処理することができる。
【００１９】
本明細書において「先行文献」とは、公衆に利用可能な情報伝達媒体のことをいい、物理的な媒体も、電子的な媒体も含み、基準となる時点（例えば、検索する時点）で公衆に利用可能になっている任意の情報伝達媒体を言う。例えば、preprint  serverと呼ばれるデポジトリー（例えば、bioRxiv）において、同一の執筆者により公開された同一の内容
の文献は、先行文献から除外するようにしてもよい。
【００２０】
本明細書において「検索」とは、データの集合の中から目的のデータを探し出すことおよびデータがないことを確認することを指す。検索は、通常データベースに対してキーワードなどを用いて探し出すことによって実行される。
【００２１】
本明細書において「抽出」とは、ある文章（群）に対して、その一部分を抜き出す処理のことをいい、通常、何らかの条件やしきい値（クライテリア）を満たす部分を抜き出すものである。
【００２２】
本明細書において「提示」とは、ユーザに対して何らかの形で認識可能な形式でデータを提示することをいう。
【００２３】
本明細書において「査読」（ｐｅｅｒ−ｒｅｖｉｅｗ）とは、学術雑誌などで、投稿された論文原稿を編集者側（編集者から依頼された専門家である査読者）でまず読み、誤りの有無や掲載の適否について判断意見を出すことをいい、査読を行う者を査読者という。査読者は、当該論文が属する学術分野を専門とする第三者である専門家が就任することが多い。査読は通常、ブラインドで行われる。
【００２４】
（好ましい実施形態）
以下に本開示の好ましい実施形態を説明する。以下に提供される実施形態は、本開示のよりよい理解のために提供されるものであり、本開示の範囲は以下の記載に限定されるべきでないことが理解される。従って、当業者は、本明細書中の記載を参酌して、本開示の範囲内で適宜改変を行うことができることは明らかである。また、以下の実施形態は単独でも使用されあるいはそれらを組み合わせて使用することができることが理解される。
【００２５】
以下、図面を参照しながら、本開示の好ましい実施の形態を説明する。
【００２６】
図１Ａは、本開示の一例として示す、投稿された論文の編集・査読を支援するための新たなサービスのフローを説明する図である。
【００２７】
図１Ａでは、論文執筆者１０が学術誌Ａの出版社２０に論文を投稿し、その論文を出版社２０の編集者２０Ａおよび編集者２０Ｂが編集し、査読者３０が査読をすることにより、論文を学術誌Ａに掲載するか、拒絶するか、改訂を要求するかを決定するフローを説明する。投稿された論文の編集・査読を支援するための新たなサービスは、本開示のコンピュータシステム１００によって提供され得る。図１Ａに示される例では、２人の編集者２０Ａ、２０Ｂおよび１人の査読者３０が示されているが、これは例示であり、任意の数の編集者および査読者が存在し得る。
【００２８】
ステップＳ１において、論文執筆者１０が、学術誌Ａへの掲載のために、執筆した論文を出版社２０に投稿する。ここで、論文を投稿する態様は問わない。論文執筆者１０は、例えば、出版社２０のウェブサイトの専用ページまたはサーバーに論文を電子的にアップロードすることにより、論文を投稿することができる。あるいは、論文執筆者１０は、例えば、出版社２０宛の電子メールに論文を添付して送信することにより、論文を投稿することができる。
【００２９】
出版社２０には、代表的な例として、形式編集者である編集者２０Ａと、学術編集者である編集者２０Ｂが在籍することが図１Ａに示されている。このような役割分担は通常の出版社で頻繁にみられるところであるが、１人の編集者が形式編集者と学術編集者を兼務してもよく、その場合は１人の編集者が両方の役割を果たすことができる。論文が投稿されると、出版社２０では、出版社２０の編集者２０Ａが論文の体裁が整っているか、必要な書類は提出されているか、動物実験はきちんと認可された条件で行われているかなどの形式的チェックを行う。投稿された論文が形式を満たさない場合、編集者２０Ａは、論文執筆者１０に対して改訂を要求する。投稿された論文が形式を満たす場合、出版社２０の編集者２０Ｂが、投稿された論文を学術誌Ａに掲載を許可（ａｃｃｅｐｔ）するか、拒絶する（ｒｅｊｅｃｔ）か、改訂（ｒｅｖｉｓｅ）を要求するかを判断することになる。このとき、編集者２０Ｂまたは査読者３０は、コンピュータシステム１００を利用して、その判断の支援を受けることができる。本開示が判断すべき内容は論文の掲載可否または査読自体に関連することであるから、編集者２０Ｂまたは査読者３０に対する支援が主に行われることになるが、編集者２０Ａもまた、先行技術が適切かどうかの情報を学術誌への掲載判断の参考とすることができる。上述した兼務する場合には、例えば、編集者２０Ａおよび編集者２０Ｂ等の形式編集者および学術編集者の区別なく、編集者が、論文の体裁が整っているか、必要な書類は提出されているか、動物実験はきちんと認可された条件で行われているかなどの形式的チェックを行い、査読者３０に査読を依頼するというケースもある。査読の依頼は、専門家からなる編集委員会の意見を参考に行うことが多い。
【００３０】
ステップＳ２において、編集者２０Ｂは、本開示のコンピュータシステム１００に、投稿された論文の少なくとも一部を入力する。編集者２０Ｂは、例えば、投稿された論文の全体をコンピュータシステム１００に入力するようにしてもよいし、編集者２０Ｂは、例えば、投稿された論文中の技術が記載された部分、例えば、方法論（Ｍａｔｅｒｉａｌｓ
ａｎｄ  Ｍｅｔｈｏｄｓ）の記載、具体的な研究手法の記載、引用文献が付された部分の記載等をコンピュータシステム１００に入力するようにしてもよい。編集者２０Ｂは、例えば、投稿された論文中の技術が記載されていそうな部分をコンピュータシステム１００に入力するようにしてもよい。編集者２０Ｂは、例えば、投稿された論文の全体をコンピュータシステム１００に入力したうえで、投稿された論文中の技術（例えば、方法論、研究手法）が記載された部分または記載されていそうな部分をコンピュータシステム１００に入力するようにしてもよい。あるいは、編集者２０Ａまたは編集者２０Ｂは、論文執筆者１０に対して、コンピュータシステム１００に直接アップロードするように差配してもよい。その場合、Ｓ１とＳ２とは統合された形で実行され、論文執筆者１０がコンピュータシステム１００に直接論文原稿をアップロードないし送信することとなる。この場合、通常、査読が適切に行われるように、一定の条件を付してアップロードまたは送信することが要求されてもよい。その場合は、論文投稿者１０はアップロードまたは送信できる形式および必要条件を満たしつつ処理することができる。あるいは、編集者２０Ａまたは編集者２０Ａは、コンピュータシステム１００に、査読に適した形式になるようなシステムを導入または設定しておき、論文投稿者１０がアップロードなどを行う際に、順次条件を充足するかコンピュータシステム１００がチェックしながら論文原稿のアップロード等を行うような処理を設定してもよい。このようなシステムの一例としては、ＳｃｈｏｌａｒＯｎｅなどのシステムがあるがこれに限定されない。
【００３１】
投稿された論文の少なくとも一部がコンピュータシステム１００に入力されると、コンピュータシステム１００は、入力された論文に記載された技術と同一または類似する技術を記載する先行文献を検索する。本明細書において「先行文献」とは、上述の定義に記載の通り、公衆に利用可能な情報伝達媒体のことをいい、物理的な媒体も、電子的な媒体も含む。コンピュータシステム１００は、例えば、入力された論文の少なくとも一部から、論文に記載された技術を抽出し、抽出された技術と同一または類似する技術を記載する先行文献を検索することができる。本明細書において、類似する技術とは、上述の定義に記載の通り、技術工程間に共通のものが存在することをいう。
【００３２】
例えば、コンピュータシステム１００は、編集者２０Ｂによって入力された方法論（より具体的には、研究手法）と同一または類似する方法論（または研究手法）を記載する先行文献を検索することができる。あるいは、例えば、コンピュータシステム１００は、編集者２０Ｂによって入力された論文の少なくとも一部から、方法論（より具体的には、研究手法）の記載を抽出し、抽出された方法論（または研究手法）と同一または類似する方法論（または研究手法）を記載する先行文献を検出することができる。あるいは、例えば、コンピュータシステム１００は、編集者２０Ｂによって入力された論文の少なくとも一部から、引用文献が付された部分の記載を抽出し、抽出された部分に記載された技術（例えば研究手法）と同一または類似する技術を記載する先行文献を検出することができる。
【００３３】
ステップＳ３では、コンピュータシステム１００による検索の結果が編集者２０Ｂに提供される。例えば、コンピュータシステム１００によって、論文に記載された技術と同一または類似する技術を記載する先行文献が発見された場合、発見された先行文献の情報が編集者２０Ｂに提供される。これにより、編集者２０Ｂは、発見された先行文献を考慮して、論文に記載された技術が、真に“新規”な技術かどうかを検討し、または編集者２０Ｂが査読者３０に対して提示し、査読者３０の評価の参考とすることができる。発見された先行文献は、例えば、論文に記載された技術と同一性または関連性の高い順に並べて提供されてもよい。あるいは、ステップＳ３〜ステップＳ５を省略して、ステップＳ６に従って、コンピュータシステム１００による検索の結果が査読者３０に直接提供されてもよい。これにより、編集者２０Ｂまたは査読者３０の検討がより促進される。
【００３４】
例えば、コンピュータシステム１００によって、論文に記載された技術と同一または類似する技術を記載する先行技術が発見されなかった場合、その旨が編集者２０Ｂに提供される。これにより、編集者２０Ｂは、同一または類似する技術を記載する先行文献が発見されなかったことを考慮して、論文に記載された技術が、真に“新規”な技術かどうかを検討することができる。
【００３５】
図１Ｂ〜図１Ｄは、コンピュータシステム１００から編集者２０Ｂに提示され得るユーザインターフェースの一例を説明する図である。ユーザインターフェースは、図１Ｂ〜図１Ｄ間を遷移し得る。図１Ｂ〜図１Ｄに示されるインターフェースでは、コンピュータシステム１００による検索の結果が表示される。
【００３６】
ユーザインターフェースには、コンピュータシステム１００に入力された論文４０が表示され得る。図１Ｂ〜図１Ｄに示される例では、入力された論文４０の第１頁目が表示されている。論文４０において、コンピュータシステム１００によって検出に用いられた論文４０の一部４１、４２が破線によって強調表示されている。論文４０の一部４１、４２は、例えば、編集者２０Ｂによって入力された部分またはコンピュータシステム１００によって抽出された部分であり得る。論文４０の一部４１、４２は、例えば、研究手法が記載された部分であり得る。
【００３７】
例えば、図１Ｂに示されるユーザインターフェース上で、編集者２０Ｂが論文の一部４１を選択する動作（例えば、カーソルを合わせる、カーソルを合わせてクリックする、タップする等）を行うと、図１Ｂに示されるユーザインターフェースは、図１Ｃに示されるユーザインターフェースに遷移する。例えば、図１Ｂに示されるユーザインターフェース上で、編集者２０Ｂが論文の一部４２を選択する動作（例えば、カーソルを合わせる、カーソルを合わせてクリックする、タップする等）を行うと、図１Ｂに示されるユーザインターフェースは、図１Ｄに示されるユーザインターフェースに遷移する。
【００３８】
図１Ｃでは、論文４０の一部４１に記載された研究手法に基づいて、コンピュータシステム１００によって検索された結果がポップアップで表示されている。例えば、論文４０の一部４１に記載された研究手法と同一または類似する研究手法を記載する文献として、「１：ＡＡＡ著、「ＢＢＢ」、2005年、ＣＣＣ学会」、「２：ＤＤＤ著、「ＥＥＥ」、2010年、ＦＦＦジャーナル」、「３：ＡＡＡ著、「ＧＧＧ」、2006年、ＨＨＨ講演会」・・・等の先行文献が挙げられている。論文４０の一部４１に記載された研究手法と同一または類似する研究手法を記載する文献は、例えば、論文４０の一部４１に記載された研究手法との同一性または関連性の高い順に表示されることができる。図１Ｃに示されるユーザインターフェース上で、編集者２０Ｂが、ポップアップ内の先行文献を選択する動作（例えば、カーソルを合わせてクリックする、タップする等）を行うと、その先行文献がダウンロードされるようにしてもよい。
【００３９】
図１Ｄでは、論文４０の一部４２に記載された研究手法に基づいて、コンピュータシステム１００によって検索された結果がポップアップで表示されている。例えば、論文４０の一部４２に記載された研究手法と同一または類似する研究手法を記載する文献として、「１：ＡＡＡ著、「ＩＩＩ」、2007年、ＣＣＣ学会」、「２：ＪＪＪ著、「ＫＫＫ」、2011年、ＦＦＦジャーナル」、「３：ＬＬＬ著、「ＭＭＭ」、2000年、ＣＣＣ学会」・・・等の先行文献が挙げられている。論文４０の一部４２に記載された技術と同一または類似する研究手法を記載する文献は、例えば、論文４０の一部４２に記載された研究手法との同一性または関連性の高い順に表示されることができる。このとき、同一性または関連性を示す数値を併せて表示するようにしてもよい。これにより、先行文献全文を読むことなく、先行文献の同一性または関連性を容易に認識することができ、これは、編集者２０Ｂにとって有益である。図１Ｄに示されるユーザインターフェース上で、編集者２０Ｂが、ポップアップ内の先行文献を選択する動作（例えば、カーソルを合わせてクリックする、タップする等）を行うと、その先行文献がダウンロードされるようにしてもよいし、その先行文献を格納する電子データベースのウェブサイト上のその先行文献のページにアクセスされるようにしてもよい。これにより、先行文献の内容を即座に確認することができ、これは、編集者２０Ｂにとって有益である。
【００４０】
このようなユーザインターフェースを提供することにより、編集者２０Ｂは、単純な操作で、論文４０に記載された技術（例えば、研究手法）に関連する先行文献の情報にアクセスすることができるようになる。編集者２０Ｂは、得られた先行文献の情報を考慮して、論文に記載された技術が、真に“新規”な技術かどうかを検討することができる。
【００４１】
上述した例では、論文４０の一部４１、４２に記載された研究手法と同一または類似する研究手法を記載する文献として、いくつかの先行文献が挙げられる例を説明したが、例えば、論文４０の一部４１、４２に記載された研究手法に付すべき引用文献として、先行文献を挙げるようにすることもできる。すなわち、引用文献のレコメンド機能である。
【００４２】
再び図１Ａを参照すると、ステップＳ４で、編集者２０Ｂは、投稿された論文の査読を査読者３０に依頼する。査読者３０は、投稿された論文に記載されている技術に精通しているまたは投稿された論文に記載された知見の意義を評価できる人物であり得る。図１Ａに示される例では、査読者３０は、出版社２０の外部の人物であるが、出版社２０の内部の人物であってもよい。通常は、査読者３０は、出版社２０または編集者２０Ｂが組成した、専門家からなる編集委員会が指名するが、出版社２０が有する専門家リストから選択されてもよい。編集者２０Ｂは、投稿された論文を読み、査読者として必要な知識や専門性を勘案して査読者候補を決定し、査読依頼を受諾した査読者候補を査読者３０とすることができる。図１Ａに示される例では、１人の査読者３０しか示されていないが、査読者３０の人数は任意の数であり得、査読者３０は、複数人であることが好ましい。複数の査読者３０により、評価の偏りを低減することができるからである。
【００４３】
査読を依頼されると、査読者３０は、査読を依頼された論文を査読し、論文を学術誌Ａに掲載を許可するべきか、拒絶するべきか、改訂を要求するべきかの示唆を含む査読結果を編集者２０Ｂに提供する。査読者３０は、編集者２０Ｂと同様に、コンピュータシステム１００を利用して、査読の支援を受けることができる。
【００４４】
ステップＳ５において、査読者３０は、格納された論文執筆者１０の論文原稿のデータを取得するようにコンピュータシステム１００に指令し、コンピュータシステム１００はその指令に基づいて、論文原稿のデータをＳ６において査読者にダウンロードさせるかまたは送信する。あるいは、査読者は、本開示のコンピュータシステム１００に、査読を依頼された論文の少なくとも一部を入力してもよい。この場合、査読者３０は、例えば、査読を依頼された論文の全体をコンピュータシステム１００に入力するようにしてもよいし、査読者３０は、例えば、査読を依頼された論文中の技術が記載された部分、例えば、方法論（Ｍａｔｅｒｉａｌｓ  ａｎｄ  Ｍｅｔｈｏｄｓ）の記載、研究手法の記載、引用文献が付された部分の記載等をコンピュータシステム１００に入力するようにしてもよい。査読者３０は、例えば、査読を依頼された論文中の技術が記載されていそうな部分をコンピュータシステム１００に入力するようにしてもよい。査読者３０は、例えば、すでにコンピュータシステム１００に格納されている論文原稿全体の中から、あるいは、査読を依頼された論文の全体をコンピュータシステム１００に入力したうえで、査読を依頼された論文中の技術（例えば、方法論、研究手法）が記載された部分または記載されていそうな部分をコンピュータシステム１００に入力するようにしてもよい。
【００４５】
査読を依頼された論文の少なくとも一部がコンピュータシステム１００に入力されると、コンピュータシステム１００は、入力された論文に記載された技術と同一または類似する技術を記載する先行文献を検索する。あるいは、コンピュータシステム１００は、査読者からの指令を受けるかあるいは自動的に、格納されている論文原稿に記載された技術と同一または類似する技術を記載する先行文献を検索するようにしてもよい。コンピュータシステム１００は、例えば、入力された論文の少なくとも一部から、論文に記載された技術を抽出し、抽出された技術と同一または類似する技術を記載する先行文献を検索することができる。
【００４６】
例えば、コンピュータシステム１００は、査読者３０によって入力された方法論（より具体的には、研究手法）と同一または類似する方法論（または研究手法）を記載する先行文献を検索することができる。あるいは、例えば、コンピュータシステム１００は、査読者３０によって入力された論文の少なくとも一部から、方法論（より具体的には、研究手法）の記載を抽出し、抽出された方法論（または研究手法）と同一または類似する方法論（または研究手法）を記載する先行文献を検出することができる。あるいは、例えば、コンピュータシステム１００は、査読者３０によって入力された論文の少なくとも一部から、引用文献が付された部分の記載を抽出し、抽出された部分に記載された技術（例えば研究手法）と同一または類似する技術を記載する先行文献を検出することができる。
【００４７】
ステップＳ６では、コンピュータシステム１００による検索の結果が査読者３０に提供される。例えば、コンピュータシステム１００によって、論文に記載された技術と同一または類似する技術を記載する先行文献が発見された場合、発見された先行文献の情報が査読者３０に提供される。これにより、査読者３０は、発見された先行文献を考慮して、論文に記載された技術が、真に“新規”な技術かどうかを検討することができる。発見された先行文献は、例えば、論文に記載された技術と同一性または関連性の高い順に並べて提供されてもよい。これにより、査読者３０の検討がより促進される。
【００４８】
例えば、コンピュータシステム１００によって、論文に記載された技術と同一または類似する技術を記載する先行技術が発見されなかった場合、その旨が査読者３０に提供される。これにより、査読者３０は、同一または類似する技術を記載する先行文献が発見されなかったことを考慮して、論文に記載された技術が、真に“新規”な技術かどうかを検討することができる。
【００４９】
査読者３０に提供されるユーザインターフェースは、図１Ｂ〜図１Ｄに示されるユーザインターフェースと同様のものであってもよいし、異なるものであってもよい。査読者３０に提供されるユーザインターフェースは、例えば、査読者３０に提供される検索結果を、論文に記載された技術と同一または類似する技術を記載する先行技術として表示してもよいし、論文に記載された技術に付すべき引用文献として先行文献を表示してもよい。
【００５０】
査読者３０は、論文に記載された技術が、真に“新規”な技術かどうかを検討したうえで、ステップＳ７において、論文を学術誌Ａに掲載するべきか、論文を拒絶するべきか、改訂を要求するべきかの示唆を含む査読結果を編集者２０Ｂに提供する。査読者３０は、例えば、論文に記載された技術が、真に“新規”な技術であると判断した場合には、特段の改訂を要求することなく、論文を学術誌Ａに掲載するべきとの示唆をしてもよい。査読者３０は、例えば、論文に記載された技術が、既存技術そのものまたは既存技術のバリアントにすぎないと判断した場合には、論文を拒絶するべきとの示唆をしてもよいし、適切な引用文献を付すように改訂を要求するべきとの示唆をしてもよい。査読者３０は、例えば、論文に記載された技術に付されていた引用文献が不適切なものであると判断した場合には、適切な引用文献を付すように改訂を要求するべきとの示唆をしてもよいし、このとき、適切な引用文献の示唆を含めてもよい。
【００５１】
編集者２０Ｂは、査読者３０からの査読結果を分析し、自身の検討結果も踏まえて、投稿された論文を学術誌Ａに掲載するか、拒絶するか、改訂を要求するかを判断する。
【００５２】
ステップＳ８において、判断の結果が論文執筆者に通知される。
【００５３】
このように、コンピュータシステム１００が、投稿された論文に記載された技術と同一または類似する技術を検索して提示するため、編集者２０Ｂまたは査読者３０が、適切に先行文献を検索するスキルを持ち合わせていなくとも、編集者２０Ｂおよび査読者３０は、学術文献に記載された技術の新規性の判断をすることができるようになる。また、コンピュータシステム１００によって、先行文献を検索する時間および労力を削減することができるため、編集者２０Ｂおよび査読者３０が係わる論文審査にかかる時間を短縮することができ、より多くの論文が審査されることとなる。これは、多くの論文が公開されることにつながり、ひいては、科学技術の発展につながり得る。
【００５４】
上述した例では、編集者２０Ｂと査読者３０とが独立してコンピュータシステム１００を用いて検索を行うことを説明したが、実施の態様はこれに限定されない。例えば、編集者２０Ｂのみがコンピュータシステム１００を用いて検索を行うようにしてもよい。このとき、上述したステップＳ４では、編集者２０Ｂは、査読依頼と共に、ステップＳ３で提供された検索結果を査読者３０に提供することになり、上述したステップＳ５およびステップＳ６は省略される。例えば、査読者３０のみがコンピュータシステム１００を用いて検索を行うようにしてもよい。このとき、上述したステップＳ２およびステップＳ３は省略され、上述したステップＳ７では、査読結果と共に、ステップＳ６で提供された検索結果を編集者２０Ｂに提供することになる。
【００５５】
上述した投稿された論文の編集・査読を支援するための新たなサービスを提供するための、本開示のコンピュータシステム１００について、以下に説明する。
【００５６】
（学術文献に記載された技術の新規性の判断を支援するためのシステムの構成）
図２は、学術文献に記載された技術の新規性の判断を支援するためのシステム１００の構成の一例を示す。本明細書において、「学術文献に記載された技術の新規性の判断」は、「学術文献に記載された技術が新規技術であるか否かの判断」および「学術文献に記載された技術に付された引用文献が適切であるか否かの判断」を含む。
【００５７】
システム１００は、通信インターフェース部１１０と、プロセッサ部１２０と、メモリ１３０部とを備える。システム１００は、データベース部２００に接続されている。
【００５８】
通信インターフェース部１１０は、システム１００の外部と情報のやり取りを行う。システム１００のプロセッサ部１２０は、通信インターフェース部１１０を介して、システム１００の外部から情報を受信することが可能であり、システム１００の外部に情報を送信することが可能である。通信インターフェース部１１０は、任意の形式で情報のやり取りを行うことができる。システム１００は、例えば、通信インターフェース部１１０を介して、図１Ａに示される編集者２０Ｂの端末装置、または、図１Ａに示される査読者３０の端末装置と通信することができる。
【００５９】
通信インターフェース部１１０は、例えば、システム１００に情報を入力することを可能にする入力部を備える。入力部が、どのような態様でシステム１００に情報を入力することを可能にするかは問わない。例えば、入力部がタッチパネルである場合には、ユーザがタッチパネルにタッチすることによって情報を入力するようにしてもよい。あるいは、入力部がマウスである場合には、ユーザがマウスを操作することによって情報を入力するようにしてもよい。あるいは、入力部がキーボードである場合には、ユーザがキーボードのキーを押下することによって情報を入力するようにしてもよい。あるいは、入力部がマイクである場合には、ユーザがマイクに音声を入力することによって情報を入力するようにしてもよい。あるいは、入力部がカメラである場合には、カメラが撮像した情報を入力するようにしてもよい。あるいは、入力部がデータ読み取り装置である場合には、システム１００に接続された記憶媒体から情報を読み取ることによって情報を入力するようにしてもよい。あるいは、入力部が受信器である場合、受信器がネットワークを介してシステム１００の外部から情報を受信することにより入力してもよい。この場合、ネットワークの種類は問わない。例えば、受信器は、インターネットを介して情報を受信してもよいし、ＬＡＮを介して情報を受信してもよい。
【００６０】
通信インターフェース部１１０は、例えば、システム１００から情報を出力することを可能にする出力部を備える。出力部が、どのような態様でシステム１００から情報を出力することを可能にするかは問わない。例えば、出力部が表示画面である場合、表示画面に情報を出力するようにしてもよい。あるいは、出力部がスピーカである場合には、スピーカからの音声によって情報を出力するようにしてもよい。あるいは、出力部がデータ書き込み装置である場合、システム１００に接続された記憶媒体に情報を書き込むことによって情報を出力するようにしてもよい。あるいは、出力部が送信器である場合、送信器がネットワークを介してシステム１００の外部に情報を送信することにより出力してもよい。この場合、ネットワークの種類は問わない。例えば、送信器は、インターネットを介して情報を送信してもよいし、ＬＡＮを介して情報を送信してもよい。
【００６１】
通信インターフェース部１１０は、例えば、図１Ａに示される編集者２０Ｂの端末装置から、学術文献内の文章の少なくとも一部を受信することができる。通信インターフェース部１１０は、例えば、図１Ａに示される査読者３０の端末装置に、プロセッサ部１２９による処理結果、例えば、学術文献に記載された技術と同一または類似する技術を記載する先行文献の存否を示す情報、学術文献に記載された技術と同一または類似する技術を記載する先行文献の情報を送信することができる。受信される学術文献内の文章の少なくとも一部は、好ましくは、テキスト形式であり得るが、図面等の画像形式であってもよい。
【００６２】
プロセッサ部１２０は、システム１００の処理を実行し、かつ、システム１００全体の動作を制御する。プロセッサ部１２０は、メモリ部１３０に格納されているプログラムを読み出し、そのプログラムを実行する。これにより、システム１００を所望のステップを実行するシステムとして機能させることが可能である。プロセッサ部１２０は、単一のプロセッサによって実装されてもよいし、複数のプロセッサによって実装されてもよい。
【００６３】
メモリ部１３０は、システム１００の処理を実行するために必要とされるプログラムやそのプログラムの実行に必要とされるデータ等を格納する。メモリ部１３０は、学術文献に記載された技術が新規技術であるか否かの判断を支援するための処理をプロセッサ部１２０に行わせるためのプログラム（例えば、後述する図４、図５、図６、図７に示される処理を実現するプログラム）を格納してもよい。ここで、プログラムをどのようにしてメモリ部１３０に格納するかは問わない。例えば、プログラムは、メモリ部１３０にプリインストールされていてもよい。あるいは、プログラムは、ネットワークを経由してダウンロードされることによってメモリ部１３０にインストールされるようにしてもよい。この場合、ネットワークの種類は問わない。メモリ部１３０は、任意の記憶手段によって実装され得る。
【００６４】
データベース部２００には、種々の学術情報が格納され得る。データベース部２００は、例えば、学術論文、特許情報、学会抄録、ホームページ掲載情報等を格納し得る。データベース部２００には、投稿された学術文献が格納されるようにしてもよい。
【００６５】
図２に示される例では、データベース部２００は、システム１００の外部に設けられているが、本開示はこれに限定されない。データベース部２００をシステム１００の内部に設けることも可能である。このとき、データベース部２００は、メモリ部１３０を実装する記憶手段と同一の記憶手段によって実装されてもよいし、メモリ部１３０を実装する記憶手段とは別の記憶手段によって実装されてもよい。いずれにせよ、データベース部２００は、システム１００のための格納部として構成される。データベース部２００の構成は、特定のハードウェア構成に限定されない。例えば、データベース部２００は、単一のハードウェア部品で構成されてもよいし、複数のハードウェア部品で構成されてもよい。例えば、データベース部２００は、システム１００の外付けハードディスク装置として構成されてもよいし、ネットワークを介して接続されるクラウド上のストレージとして構成されてもよい。
【００６６】
図３は、プロセッサ部１２０の構成の一例を示す。
【００６７】
プロセッサ部１２０は、取得手段１２１と、検索手段１２２と、出力手段１２３とを備える。
【００６８】
取得手段１２１は、学術文献内の文章の少なくとも一部を取得するように構成されている。
【００６９】
取得手段１２１は、例えば、通信インターフェース部１１０を介して受信された学術文献内の文章の少なくとも一部を取得するように構成される。学術文献内の文章の少なくとも一部は、例えば、図１Ａに示される編集者２０Ｂの端末装置、または、図１Ａに示される査読者３０の端末装置から送信され、通信インターフェース部１１０を介して受信される。学術文献内の文章の少なくとも一部は、例えば、通信インターフェース部１１０を介して受信された情報源の情報（例えば、ファイルパス、ＵＲＬ等）に基づいて情報源（例えば、データベース部２００、インターネット上の場所）にアクセスし、当該情報源から取得されてもよい。
【００７０】
例えば、通信インターフェース部１１０を介して受信された学術文献内の文章が、方法のスキーム図等の画像形式である場合、取得手段１２１は、公知の文字認識技術を用いて、画像内のテキストを抽出し、抽出されたテキストを取得することができる。
【００７１】
取得手段１２１は、例えば、通信インターフェース部１１０を介して受信された学術文献内の文章から、特定の部分を抽出することによって、学術文献内の文章の一部を取得することができる。
【００７２】
取得手段１２１は、例えば、学術文献内の文章内で新技術であると明示または示唆する部分を抽出し、新技術であると明示または示唆する部分に関連付けられる部分を取得することができる。取得手段１２１は、公知のテキスト抽出技術を用いて、新技術であると明示または示唆する部分を抽出することができる。新技術であると明示または示唆する部分は、例えば、「Ｎｅｗ  ｔｅｃｈｎｉｑｕｅ」、「Ｎｅｗ  ｍｅｔｈｏｄ」、「ｗｅ  ｄｅｖｅｌｏｐｅｄ」、「Ｗｅ  ｇｅｎｅｒａｔｅｄ」、「Ｗｅ  ｎａｍｅｄ」、「Ｓｃｈｅｍｅ  ｏｆ  ｔｈｅ  ｎｅｗ  ｍｅｔｈｏｄ」等の単語、句、文を含むがこれらに限定されない。なお、前記例は英語での例であるが、対応する日本語または他の言語も含まれることに留意すべきである。新技術であると明示または示唆する部分に関連付けられる部分は、例えば、新技術であると明示または示唆する部分に続く少なくとも１つの単語、少なくとも１つの句、少なくとも１つの文、もしくは少なくとも１つの段落、新技術であると明示または示唆する部分の直前の少なくとも１つの単語、少なくとも１つの句、少なくとも１つの文、もしくは少なくとも１つの段落、または、新技術であると明示または示唆する部分を含む少なくとも１つの句、少なくとも１つの文、もしくは少なくとも１つの段落を含む。取得手段１２１によって取得された新技術であると明示または示唆する部分に関連付けられる部分を用いて、後述する検索手段１２２によって先行文献を検索することにより、学術文献の著者が新技術であると謳う技術が、真に新技術であるかの判断に利用可能な結果を出力することができるようになる。
【００７３】
取得手段１２１は、例えば、学術文献内の文章内で既存技術であると明示または示唆する部分を抽出し、既存技術であると明示または示唆する部分に関連付けられる部分を取得することができる。取得手段１２１は、公知のテキスト抽出技術を用いて、既存技術であると明示または示唆する部分を抽出することができる。既存技術であると明示または示唆する部分は、例えば、引用の表示、引用を示唆する表示、既存技術を示す技術用語、特定のキーワード等を含むがこれらに限定されない。特定のキーワードは、例えば、予め設定されたものであってもよいし、ユーザによって設定されるものであってもよい。既存技術であると明示または示唆する部分に関連付けられる部分は、例えば、既存技術であると明示または示唆する部分に続く少なくとも１つの単語、少なくとも１つの句、少なくとも１つの文、もしくは少なくとも１つの段落、既存技術であると明示または示唆する部分の直前の少なくとも１つの単語、少なくとも１つの句、少なくとも１つの文、もしくは少なくとも１つの段落、または、既存技術であると明示または示唆する部分を含む少なくとも１つの句、少なくとも１つの文、もしくは少なくとも１つの段落を含む。取得手段１２１によって取得された既存技術であると明示または示唆する部分に関連付けられる部分を用いて、後述する検索手段１２２によって先行文献を検索することにより、学術文献の著者が既存技術であると謳う技術に対して、適切な引用文献が付されているかの判断に利用可能な結果を出力することができるようになる。
【００７４】
取得手段１２１は、例えば、学術文献内の文章内で技術を記載する部分を抽出し、抽出された部分のうち、新技術であると明示または示唆する部分および既存技術であると明示または示唆する部分に関連付けられる部分を除くことにより、残った部分を取得することができる。取得手段１２１は、公知のテキスト抽出技術を用いて、技術を記載する部分を抽出することができる。取得手段１２１は、例えば、所定のキーワードを抽出することにより、技術を記載する部分を抽出することができる。所定のキーワードは、例えば、技術説明に用いられる技術用語／科学用語、例えば、「クロマチン」、「免疫沈降」、「単離」等の名詞、「精製する」等の動詞、「特異的に」等の副詞、「特異的な」等の形容詞を含み得る。所定のキーワードは、例えば、時系列を示すキーワード、例えば、「その後」、「次いで」、「その前に」等を含み得る。所定のキーワードは、例えば、予め設定されたものであってもよいし、ユーザによって設定されるものであってもよい。取得手段１２１は、例えば、所定のキーワードの密度が高い部分（例えば、１ワード当たりのキーワード数が、例えば、０．０５以上、０．１以上、０．２以上、０．５以上等の句、文または段落）を抽出するようにしてもよい。抽出された部分のうち、新技術であると明示または示唆する部分および既存技術であると明示または示唆する部分に関連付けられる部分を除くことによって残った部分は、学術文献の著者が新規技術であるとも既存技術であるとも謳っていない技術を記載する部分となる。すなわち、取得手段１２１によって新技術であると明示または示唆する部分および既存技術であると明示または示唆する部分に関連付けられる部分を除くことによって残った部分を用いて、後述する検索手段１２２によって先行文献を検索することにより、学術文献の著者が新規技術であるとも既存技術であるとも謳っていない技術が、真に新技術であるかの判断に利用可能な結果を出力することができるようになる。
【００７５】
検索手段１２２は、取得手段１２１によって取得された学術文献内の文章内の少なくとも一部に基づいて、学術文献に記載された技術と同一または類似する技術を記載する先行文献を検索するように構成されている。検索手段１２２は、例えば、取得手段１２１によって取得された、新技術であると明示または示唆する部分に関連付けられる部分に記載された技術と同一または類似する技術を記載する先行文献を検索することができる。検索手段１２２は、例えば、取得手段１２１によって取得された、既存技術であると明示または示唆する部分に関連付けられる部分に記載された技術と同一または類似する技術を記載する先行文献を検索することができる。検索手段１２２は、例えば、取得手段１２１によって取得された、新技術であると明示または示唆する部分および既存技術であると明示または示唆する部分を除くことによって残った部分に記載された技術と同一または類似する技術を記載する先行文献を検索することができる。検索手段１２２は、例えば、公知のキーワード検索技術を用いて、学術文献に記載された技術と同一または類似する技術を記載する先行文献を検索することができる。
【００７６】
例えば、検索手段１２２は、少なくとも１つの所定のキーワード、その同意語、および／またはその関連語を検出し、それらの出現頻度に基づいて、それらの論理的連関（例えば、時間的順序）に基づいて、または両方に基づいて、学術文献に記載された技術と同一または類似する技術を記載する先行文献を検索することができる。少なくとも１つの所定のキーワードは、例えば、ユーザによって指定されたキーワードであってもよいし、検索手段１２２が、入力された学術文献内の文章の少なくとも一部から特定したキーワードであってもよい。例えば、少なくとも１つの所定のキーワード、その同意語、および／またはその関連語の出現頻度が高い先行文献は、学術文献に記載された技術と同一または類似する技術を記載する先行文献である蓋然性が高いと考えられる。検索手段１２２による検索は、例えば、先行文献内の検出対象個所を、方法論（Ｍａｔｅｒｉａｌｓ  ａｎｄ  Ｍｅｔｈｏｄｓ）のセクションに限定するようにしてもよい。これにより、検索対象個所が絞られ、検索のための計算処理を大幅に軽減することが可能である。
【００７７】
出力手段１２３は、情報処理を行い、特定の出力を提供する。出力手段１２４からの出力は、通信インターフェース部１１０を介してコンピュータシステム１００の外部に出力され得る。
【００７８】
出力手段１２３は、検索手段１２２による検索の結果に基づいて、先行技術の存否を出力することができる。出力手段１２３は、例えば、検索手段１２２によって先行文献が発見された場合に、先行文献が存在することを出力し、検索手段１２２によって先行文献が発見されなかった場合、先行文献が存在しないことを出力し得る。出力手段１２３は、例えば、検索手段１２２によって先行文献が発見された場合に、発見された先行文献を出力することができる。
【００７９】
このとき、出力手段１２３は、発見された先行文献を、学術文献に記載された技術との同一性または関連性に従って並べ替えて出力することができる。学術文献に記載された技術との同一性または関連性は、例えば、少なくとも１つの所定のキーワード、その同意語、および／またはその関連語の出現頻度に基づいて、それらの論理的連関に基づいて、または両方に基づいて決定され得る。例えば、少なくとも１つの所定のキーワード、その同意語、および／またはその関連語の出現頻度に基づいた重み付け、少なくとも１つの所定のキーワード、その同意語、および／またはその関連語の論理的連関に基づいた重み付け、またはその両方から点数を算出し、算出された点数が、学術文献に記載された技術との同一性または関連性を示す指標となり得る。
【００８０】
出力手段１２３は、検索手段１２２による検索の結果に基づいて、学術文献に記載された技術に付すべき引用文献を出力することもできる。出力手段１２３は、例えば、学術文献に記載された技術との同一性または関連性が最も高い先行文献を、学術文献に記載された技術に付すべき引用文献として出力するようにしてもよいし、学術文献に記載された技術との同一性または関連性が所定の閾値よりも高い先行文献を、学術文献に記載された技術に付すべき引用文献として出力するようにしてもよい。
【００８１】
なお、上述したシステム１００の各構成要素は、単一のハードウェア部品で構成されていてもよいし、複数のハードウェア部品で構成されていてもよい。複数のハードウェア部品で構成される場合は、各ハードウェア部品が接続される態様は問わない。各ハードウェア部品は、無線で接続されてもよいし、有線で接続されてもよい。本開示のシステム１００は、特定のハードウェア構成には限定されない。プロセッサ部１２０をデジタル回路ではなくアナログ回路によって構成することも本開示の範囲内である。本開示のシステム１００の構成は、その機能を実現できる限りにおいて上述したものに限定されない。
【００８２】
（学術文献に記載された技術の新規性の判断を支援するためのシステムによる処理）
図４は、システム１００において行われる、学術文献に記載された技術の新規性の判断を支援するための処理の一例（処理４００）を示すフローチャートである。処理４００は、システム１００のプロセッサ部１２０において行われ得る。
【００８３】
ステップＳ４０１では、プロセッサ部１２０の取得手段１２１が、学術文献内の文章の少なくとも一部を取得する。取得手段１２１は、例えば、通信インターフェース部１１０を介して受信された学術文献内の文章の少なくとも一部を取得してもよいし、通信インターフェース部１１０を介して受信された学術文献から、特定の部分を抽出することによって、学術文献内の文章の一部を取得してもよい。取得手段１２１は、例えば、通信インターフェース部１１０を介して画像形式で受信された学術文献から、公知の文字認識技術を利用してテキストを抽出することにより、学術文献の文章の少なくとも一部を取得してもよい。
【００８４】
ステップＳ４０２では、プロセッサ部１２０の検索手段１２２が、ステップＳ４０１で取得された学術文献内の文章内の少なくとも一部に基づいて、学術文献に記載された技術と同一または類似する技術を記載する先行文献を検索する。検索手段１２２は、例えば、公知のキーワード検索技術を用いて、学術文献に記載された技術と同一または類似する技術を記載する先行文献を検索することができる。検索手段１２２は、データベース部２２０から先行文献を検索することができるが、通信インターフェース部１１０を介して接続され得るネットワーク上の情報源（例えば、インターネット上のサーバ）から先行文献を検索することもできる。
【００８５】
例えば、検索手段１２２は、少なくとも１つの所定のキーワード、その同意語、および／またはその関連語を検出し、それらの出現頻度に基づいて、それらの論理的連関（例えば、時間的順序）に基づいて、または両方に基づいて、学術文献に記載された技術と同一または類似する技術を記載する先行文献を検索することができる。少なくとも１つの所定のキーワードは、例えば、ユーザによって指定されたキーワードであってもよいし、検索手段１２２が、入力された学術文献内の文章の少なくとも一部から特定したキーワードであってもよい。
【００８６】
ステップＳ４０３では、プロセッサ部１２０の出力手段１２３が、ステップＳ４０２での検索の結果に基づいて、先行技術の存否を出力する。例えば、ステップＳ４０２で先行文献が発見された場合に、先行文献が存在することが出力され得、ステップＳ４０２で先行文献が発見されなかった場合、先行文献が存在しないことが出力され得る。例えば、ステップＳ４０２で先行文献が発見された場合に、先行文献が存在することに加えて、またはそれに代えて、発見された先行文献を出力することもできる。
【００８７】
このとき、出力手段１２３は、発見された先行文献を、学術文献に記載された技術との同一性または関連性に従って並べ替えて出力することができる。学術文献に記載された技術との同一性または関連性は、例えば、少なくとも１つの所定のキーワード、その同意語、および／またはその関連語の出現頻度に基づいて、それらの論理的連関に基づいて、または両方に基づいて決定され得る。例えば、少なくとも１つの所定のキーワード、その同意語、および／またはその関連語の出現頻度に基づいた重み付け、少なくとも１つの所定のキーワード、その同意語、および／またはその関連語の論理的連関に基づいた重み付け、またはその両方から点数を算出し、算出された点数が、学術文献に記載された技術との同一性または関連性を示す指標となり得る。
【００８８】
出力手段１２３は、検索手段１２２による検索の結果に基づいて、学術文献に記載された技術に付すべき引用文献を出力することもできる。出力手段１２３は、例えば、学術文献に記載された技術との同一性または関連性が最も高い先行文献を、学術文献に記載された技術に付すべき引用文献として出力するようにしてもよいし、学術文献に記載された技術との同一性または関連性が所定の閾値よりも高い先行文献を、学術文献に記載された技術に付すべき引用文献として出力するようにしてもよい。
【００８９】
図５は、ステップＳ４０１における取得手段１２１による処理の一例（処理５００）を示すフローチャートである。
【００９０】
システム１００が、学術文献の全体または一部を通信インターフェース部１１０を介して受信するまたは取得すると、ステップＳ５０１において、取得手段１２１が、学術文献内の文章内で新技術であると明示または示唆する部分を抽出する。取得手段１２１は、公知のテキスト抽出技術を用いて、新技術であると明示または示唆する部分を抽出することができる。新技術であると明示または示唆する部分は、例えば、「Ｎｅｗ  ｔｅｃｈｎｉｑｕｅ」、「Ｎｅｗ  ｍｅｔｈｏｄ」、「ｗｅ  ｄｅｖｅｌｏｐｅｄ」、「Ｗｅ  ｇｅｎｅｒａｔｅｄ」、「Ｗｅ  ｎａｍｅｄ」、「Ｓｃｈｅｍｅ  ｏｆ  ｔｈｅ  ｎｅｗ  ｍｅｔｈｏｄ」等の単語、句、文を含むがこれらに限定されない。
【００９１】
ステップＳ５０２では、取得手段１２１が、ステップＳ５０１で抽出された新技術であると明示または示唆する部分に関連付けられる部分を取得する。新技術であると明示または示唆する部分に関連付けられる部分は、例えば、新技術であると明示または示唆する部分に続く少なくとも１つの単語、少なくとも１つの句、少なくとも１つの文、もしくは少なくとも１つの段落、新技術であると明示または示唆する部分の直前の少なくとも１つの単語、少なくとも１つの句、少なくとも１つの文、もしくは少なくとも１つの段落、または、新技術であると明示または示唆する部分を含む少なくとも１つの句、少なくとも１つの文、もしくは少なくとも１つの段落を含む。
【００９２】
例えば、ステップＳ５０１で「Ｗｅ  ｇｅｎｅｒａｔｅｄ」が抽出された場合、ステップＳ５０２において、取得手段１２１は、「Ｗｅ  ｇｅｎｅｒａｔｅｄ」の後に続く少なくとも１つの単語、少なくとも１つの句、少なくとも１つの文、または少なくとも１つの段落を取得し得る。例えば、ステップＳ５０１で「を開発した。」が抽出された場合、ステップＳ５０２において、取得手段１２１は、「を開発した。」の直前の少なくとも１つの単語、少なくとも１つの句、少なくとも１つの文、または少なくとも１つの段落を取得し得る。例えば、ステップＳ５０１で「Ｎｅｗ  ｔｅｃｈｎｉｑｕｅ」が抽出された場合、ステップＳ５０２において、取得手段１２１は、「Ｎｅｗ  ｔｅｃｈｎｉｑｕｅ」を含む少なくとも１つの句、少なくとも１つの文、または少なくとも１つの段落を取得し得る。
【００９３】
処理５００によって取得された新技術であると明示または示唆する部分に関連付けられる部分は、上述したステップＳ４０２において、検索に用いられる。このような検索により、学術文献の著者が新技術であると謳う技術が、真に新技術であるかの判断に利用可能な結果が出力される。
【００９４】
図６は、ステップＳ４０１における取得手段１２１による処理の別の一例（処理６００）を示すフローチャートである。
【００９５】
システム１００が、学術文献の全体または一部を通信インターフェース部１１０を介して受信するまたは取得すると、ステップＳ６０１において、取得手段１２１が、学術文献内の文章内で既存技術であると明示または示唆する部分を抽出する。取得手段１２１は、公知のテキスト抽出技術を用いて、既存技術であると明示または示唆する部分を抽出することができる。既存技術であると明示または示唆する部分は、例えば、引用の表示、引用を示唆する表示、既存技術を示す技術用語、特定のキーワード等を含むがこれらに限定されない。
【００９６】
ステップＳ６０２では、取得手段１２１が、ステップＳ６０１で抽出された既存技術であると明示または示唆する部分に関連付けられる部分を取得する。既存技術であると明示または示唆する部分に関連付けられる部分は、例えば、既存技術であると明示または示唆する部分に続く少なくとも１つの単語、少なくとも１つの句、少なくとも１つの文、もしくは少なくとも１つの段落、既存技術であると明示または示唆する部分の直前の少なくとも１つの単語、少なくとも１つの句、少なくとも１つの文、もしくは少なくとも１つの段落、または、既存技術であると明示または示唆する部分を含む少なくとも１つの句、少なくとも１つの文、もしくは少なくとも１つの段落を含む。
【００９７】
例えば、ステップＳ６０１で引用の表示が抽出された場合、ステップＳ６０２において、取得手段１２１は、引用の表示の直前の少なくとも１つの単語、少なくとも１つの句、少なくとも１つの文、または少なくとも１つの段落を取得し得る。例えば、ステップＳ６０１で既存技術を示す技術用語「ウエスタンブロッティング」が抽出された場合、ステップＳ５０２において、取得手段１２１は、「ウエスタンブロッティング」を含む少なくとも１つの句、少なくとも１つの文、または少なくとも１つの段落を取得し得る。
【００９８】
処理６００によって取得された既存技術であると明示または示唆する部分に関連付けられる部分は、上述したステップＳ４０２において、検索に用いられる。このような検索により、学術文献の著者が既存技術であると謳う技術に対して、適切な引用文献が付されているかの判断に利用可能な結果が出力される。
【００９９】
図７は、ステップＳ４０１における取得手段１２１による処理の別の一例（処理７００）を示すフローチャートである。
【０１００】
システム１００が、学術文献の全体または一部を通信インターフェース部１１０を介して受信するまたは取得すると、ステップＳ７０１において、取得手段１２１が、学術文献内の文章内で技術を記載する部分を抽出する。取得手段１２１は、公知のテキスト抽出技術を用いて、技術を記載する部分を抽出することができる。取得手段１２１は、例えば、所定のキーワードを抽出することにより、技術を記載する部分を抽出することができる。所定のキーワードは、例えば、技術説明に用いられる技術用語／科学用語、例えば、「クロマチン」、「免疫沈降」、「単離」等の名詞、「精製する」等の動詞、「特異的に」等の副詞、「特異的な」等の形容詞を含み得る。所定のキーワードは、例えば、時系列を示すキーワード、例えば、「その後」、「次いで」、「その前に」等を含み得る。所定のキーワードは、例えば、予め設定されたものであってもよいし、ユーザによって設定されるものであってもよい。取得手段１２１は、例えば、所定のキーワードの密度が高い部分（例えば、１ワード当たりのキーワード数が、例えば、０．０５以上、０．１以上、０．２以上、０．５以上等の句、文または段落）を抽出するようにしてもよい。
【０１０１】
ステップＳ７０２では、取得手段１２１が、ステップＳ７０１で抽出された技術を記載する部分のうち、新技術であると明示または示唆する部分および既存技術であると明示または示唆する部分に関連付けられる部分を除く。例えば、上述したステップＳ５０１と同様の処理により、新技術であると明示または示唆する部分を抽出することができる。例えば、上述したステップＳ６０１と同様の処理により、既存技術であると明示または示唆する部分を抽出することができる。新技術であると明示または示唆する部分は、例えば、「Ｎｅｗ  ｔｅｃｈｎｉｑｕｅ」、「Ｎｅｗ  ｍｅｔｈｏｄ」、「ｗｅ  ｄｅｖｅｌｏｐｅｄ」、「Ｗｅ  ｇｅｎｅｒａｔｅｄ」、「Ｗｅ  ｎａｍｅｄ」、「Ｓｃｈｅｍｅ  ｏｆ  ｔｈｅ  ｎｅｗ  ｍｅｔｈｏｄ」等の単語、句、文を含むがこれらに限定されない。新技術であると明示または示唆する部分に関連付けられる部分は、例えば、新技術であると明示または示唆する部分に続く少なくとも１つの単語、少なくとも１つの句、少なくとも１つの文、もしくは少なくとも１つの段落、新技術であると明示または示唆する部分の直前の少なくとも１つの単語、少なくとも１つの句、少なくとも１つの文、もしくは少なくとも１つの段落、または、新技術であると明示または示唆する部分を含む少なくとも１つの句、少なくとも１つの文、もしくは少なくとも１つの段落を含む。既存技術であると明示または示唆する部分は、例えば、引用の表示、引用を示唆する表示、既存技術を示す技術用語、特定のキーワード等を含むがこれらに限定されない。既存技術であると明示または示唆する部分に関連付けられる部分は、例えば、既存技術であると明示または示唆する部分に続く少なくとも１つの単語、少なくとも１つの句、少なくとも１つの文、もしくは少なくとも１つの段落、既存技術であると明示または示唆する部分の直前の少なくとも１つの単語、少なくとも１つの句、少なくとも１つの文、もしくは少なくとも１つの段落、または、既存技術であると明示または示唆する部分を含む少なくとも１つの句、少なくとも１つの文、もしくは少なくとも１つの段落を含む。
【０１０２】
例えば、ステップＳ７０２で、ステップＳ５０１と同様の処理により「Ｗｅ  ｇｅｎｅｒａｔｅｄ」が抽出された場合、取得手段１２１は、「Ｗｅ  ｇｅｎｅｒａｔｅｄ」の後に続く少なくとも１つの単語、少なくとも１つの句、少なくとも１つの文、または少なくとも１つの段落を、ステップＳ７０１で抽出された技術を記載する部分から除き得る。例えば、ステップＳ７０２で、ステップＳ５０１と同様の処理により「を開発した。」が抽出された場合、取得手段１２１は、「を開発した。」の直前の少なくとも１つの単語、少なくとも１つの句、少なくとも１つの文、または少なくとも１つの段落を、ステップＳ７０１で抽出された技術を記載する部分から除き得る。例えば、ステップＳ７０２で、ステップＳ５０１と同様の処理により「Ｎｅｗ  ｔｅｃｈｎｉｑｕｅ」が抽出された場合、取得手段１２１は、「Ｎｅｗ  ｔｅｃｈｎｉｑｕｅ」を含む少なくとも１つの句、少なくとも１つの文、または少なくとも１つの段落を、ステップＳ７０１で抽出された技術を記載する部分から除き得る。例えば、ステップＳ７０２で、ステップＳ６０１と同様の処理により引用の表示が抽出された場合、取得手段１２１は、引用の表示の直前の少なくとも１つの単語、少なくとも１つの句、少なくとも１つの文、または少なくとも１つの段落を、ステップＳ７０１で抽出された技術を記載する部分から除き得る。例えば、ステップＳ７０２で、ステップＳ６０１と同様の処理により既存技術を示す技術用語「ウエスタンブロッティング」が抽出された場合、取得手段１２１は、「ウエスタンブロッティング」を含む少なくとも１つの句、少なくとも１つの文、または少なくとも１つの段落を、ステップＳ７０１で抽出された技術を記載する部分から除き得る。
【０１０３】
ステップＳ７０３では、取得手段１２１が、ステップＳ７０２で除かれて、残った部分を取得する。
【０１０４】
処理７００によって取得された部分は、学術文献の著者が新規技術であるとも既存技術であるとも謳っていない技術を記載する部分となる。処理７００によって取得された部分は、上述したステップＳ４０２において、検索に用いられる。このような検索により、学術文献の著者が新規技術であるとも既存技術であるとも謳っていない技術が、真に新技術であるかの判断に利用可能な結果が出力される。
【０１０５】
ステップＳ４０１において、上述した処理５００、処理６００、処理７００のうちのいずれか１つが実行されてもよいし、２つ以上が実行されてもよい。２つ以上が実行される場合には、実行される順序は問わない。例えば、処理５００、処理６００、処理７００が順次実行されてもよいし、処理５００、処理６００、処理７００が同時に実行されてもよいし、処理５００および処理６００が同時に実行された後に処理７００が実行されてもよい。
【０１０６】
上述した例では、システム１００が、編集者または査読者等の人間による学術文献に記載された技術の新規性の判断を支援することを説明したが、本開示はこれに限定されない。編集者または査読者等の人間が判断するのではなく、本開示のシステムが、学術文献に記載された技術の新規性を判断することも本開示の範囲内である。このようなシステムは、例えば、上述したシステム１００の構成において、新規技術性を判断する手段を備え、上述した処理４００において、ステップＳ４０３の代わりに、ステップＳ４０２での検索の結果に基づいて、学術文献に記載された技術の新規性を判断するステップを行うことによって、学術文献に記載された技術の新規性を判断することができる。新規技術性を判断する手段は、例えば、学術文献に記載された技術と先行文献との同一性または関連性に基づいて新規技術性を判断するように構成された手段であってもよいし、実際の査読者の判断を学習した人工知能（例えば、学術文献に記載された技術と先行文献とに基づいて、実際の査読者がどのように判断したかのデータを教師データとして学習した人工知能）であってもよい。
【０１０７】
上述した例では、学術文献に記載された技術について、新規技術性を判断することを説明したが、本開示はこれに限定されない。学術文献に記載された内容について、新規性を判断することも本開示の範囲内である。例えば、本開示のシステムは、学術文献に記載された概念について、新規性を判断することができる。例えば、本開示のシステムは、学術文献に記載された実験結果について、新規性を判断することができる。
【０１０８】
図４、図５、図６、図７を参照して上述した例では、図４、図５、図６、図７に示される各ステップの処理は、プロセッサ部１２０とメモリ部１３０に格納されたプログラムとによって実現することが説明されたが、本開示はこれに限定されない。図４、図５、図６、図７に示される各ステップの処理のうちの少なくとも１つは、制御回路などのハードウェア構成によって実現されてもよい。
【実施例】
【０１０９】
（実施例１：編集者の画面）
本実施例では、図２に示した構成を利用して、本開示の処理を実現するシステムを構築する。
【０１１０】
このシステムでは、コンピュータハードウェアとしてｉＭａｃ（登録商標）を使用し、ＯＳとしてｍａｃＯＳ（登録商標）  １０．１４．６を使用する。例えば、他のハードウェア、他のＯＳを用いることも可能である。他のＯＳとして、例えば、Ｗｉｎｄｏｗｓ（登録商標）、Ｕｎｉｘ（登録商標）、Ｌｉｎｕｘ（登録商標）、ｉＯＳ、Ａｎｄｒｏｉｄ（登録商標）が挙げられるが、これらに限定されない。
【０１１１】
図８は、編集者に提示される画面の一例（画面８００）を示す図である。
【０１１２】
画面８００は、ファイルアップロードアイコン８０１と、論文表示セクション８０２と、頁戻しアイコン８０３と、頁送りアイコン８０４と、第１のタブ８０５、第２のタブ８０６と、第３のタブ８０７と、入力欄８０８と、検索アイコン８０９と、先行文献表示セクション８１０とを備えている。
【０１１３】
ファイルアップロードアイコン８０１は、システムにファイルをアップロードするために操作される。編集者は、例えば、投稿された論文をシステムにアップロードするためにファイルアップロードアイコン８０１を操作し得る。
【０１１４】
論文表示セクション８０２には、システムにアップロードされた論文が表示されている。本例では、図１Ｂ〜図１Ｃに示される例と同様の論文が表示されている。表示されている論文では、システム１００によって検出に用いられ得る論文の一部（例えば、研究手法を記載する部分）が破線によって強調表示されている。
【０１１５】
頁戻しアイコン８０３は、論文表示セクション８０２に表示された論文のページを戻すために操作され、頁送りアイコン８０４は、論文表示セクション８０２に表示された論文のページを送るために操作される。本例では、論文の第１頁目が表示されているため、頁戻しアイコン８０３は操作不能となっている。
【０１１６】
第１のタブ８０５、第２のタブ８０６、第３のタブ８０７は、先行技術の検索方式を変更するために操作される。
【０１１７】
例えば、第１のタブ８０５を選択すると、新技術であると明示または示唆する部分に関連付けられる部分に記載された技術と同一または類似する技術を記載する先行文献を検索するモードとなる。例えば、入力欄８０８に何も入力しないで検索アイコン８０９を選択すると、上述した処理５００と同様の処理により、論文表示セクション８０２に表示されている論文から新技術であると明示または示唆する部分が抽出され、新技術であると明示または示唆する部分に関連付けられる部分が取得される。次いで、取得された部分に基づいた検索が行われ、検索結果が、先行文献表示セクション８１０に表示される。例えば、入力欄８０８に新技術であると明示または示唆する部分を入力して検索アイコン８０９を選択すると、上述した処理５００のステップＳ５０２と同様の処理により新技術であると明示または示唆する部分に関連付けられる部分が取得される。次いで、取得された部分に基づいた検索が行われ、検索結果が、先行文献表示セクション８１０に表示される。例えば、入力欄８０８に新技術であると明示または示唆する部分に関連付けられる部分を入力して検索アイコン８０９を選択すると、入力された部分に基づいた検索が行われ、検索結果が、先行文献表示セクション８１０に表示される。
【０１１８】
例えば、第２のタブ８０６を選択すると、既存技術であると明示または示唆する部分に関連付けられる部分に記載された技術と同一または類似する技術を記載する先行文献を検索するモードとなる。例えば、入力欄８０８に何も入力しないで検索アイコン８０９を選択すると、上述した処理６００と同様の処理により、論文表示セクション８０２に表示されている論文から既存技術であると明示または示唆する部分が抽出され、既存技術であると明示または示唆する部分に関連付けられる部分が取得される。次いで、取得された部分に基づいた検索が行われ、検索結果が、先行文献表示セクション８１０に表示される。例えば、入力欄８０８に既存技術であると明示または示唆する部分を入力して検索アイコン８０９を選択すると、上述した処理６００のステップＳ６０２と同様の処理により既存技術であると明示または示唆する部分に関連付けられる部分が取得される。次いで、取得された部分に基づいた検索が行われ、検索結果が、先行文献表示セクション８１０に表示される。例えば、入力欄８０８に既存技術であると明示または示唆する部分に関連付けられる部分を入力して検索アイコン８０９を選択すると、入力された部分に基づいた検索が行われ、検索結果が、先行文献表示セクション８１０に表示される。
【０１１９】
例えば、第３のタブ８０７を選択すると、新技術であると明示または示唆する部分および既存技術であると明示または示唆する部分に関連付けられる部分を除くことによって残った部分に記載された技術と同一または類似する技術を記載する先行文献を検索するモードとなる。例えば、入力欄８０８に何も入力しないで検索アイコン８０９を選択すると、上述した処理７００と同様の処理により、論文表示セクション８０２に表示されている論文から、技術を記載する部分を抽出し、抽出された部分のうち、新技術であると明示または示唆する部分および既存技術であると明示または示唆する部分に関連付けられる部分が除かれ、残った部分が取得される。次いで、取得された部分に基づいた検索が行われ、検索結果が、先行文献表示セクション８１０に表示される。例えば、入力欄８０８に新技術であると明示または示唆する部分または既存技術であると明示または示唆する部分を入力して検索アイコン８０９を選択すると、上述した処理５００のステップＳ５０２または処理６００のステップＳ６０２と同様の処理により新技術であると明示または示唆する部分に関連付けられる部分または既存技術であると明示または示唆する部分に関連付けられる部分が取得される。次いで、取得された部分に基づいた検索が行われ、検索結果が、先行文献表示セクション８１０に表示される。例えば、入力欄８０８に新技術であると明示または示唆する部分に関連付けられる部分または既存技術であると明示または示唆する部分に関連付けられる部分を入力して検索アイコン８０９を選択すると、入力された部分に基づいた検索が行われ、検索結果が、先行文献表示セクション８１０に表示される。
このようにして、編集者は、画面８００を通じて先行文献の検索を行い、検索の結果を参照して、論文を学術誌に掲載を許可（ａｃｃｅｐｔ）するか、拒絶する（ｒｅｊｅｃｔ）か、改訂（ｒｅｖｉｓｅ）を要求するかを判断する。
【０１２０】
（実施例２：査読者の画面）
本実施例では、図２に示した構成を利用して、本開示の処理を実現するシステムを構築する。
このシステムでは、コンピュータハードウェアとしてｉＭａｃ（登録商標）を使用し、ＯＳとしてｍａｃＯＳ（登録商標）  １０．１４．６を使用する。例えば、他のハードウェア、他のＯＳを用いることも可能である。他のＯＳとして、例えば、Ｗｉｎｄｏｗｓ（登録商標）、Ｕｎｉｘ（登録商標）、Ｌｉｎｕｘ（登録商標）、ｉＯＳ、Ａｎｄｒｏｉｄ（登録商標）が挙げられるが、これらに限定されない。
【０１２１】
図９は、査読者に提示される画面の一例（画面９００）を示す図である。
【０１２２】
画面９００は、ファイルダウンロードアイコン９０１と、論文表示セクション９０２と、頁戻しアイコン９０３と、頁送りアイコン９０４と、第１のタブ９０５、第２のタブ９０６と、第３のタブ９０７と、入力欄９０８と、検索アイコン９０９と、先行文献表示セクション９１０とを備えている。
【０１２３】
ファイルダウンロードアイコン９０１は、システムからファイルをダウンロードするために操作される。査読者は、例えば、投稿された論文をシステムからダウンロードするためにファイルダウンロードアイコン９０１を操作し得る。
【０１２４】
論文表示セクション９０２には、システムからダウンロードされた論文が表示されている。本例では、図１Ｂ〜図１Ｃに示される例と同様の論文が表示されている。表示されている論文では、システム１００によって検出に用いられ得る論文の一部（例えば、研究手法を記載する部分）が破線によって強調表示されている。
【０１２５】
頁戻しアイコン９０３は、論文表示セクション９０２に表示された論文のページを戻すために操作され、頁送りアイコン９０４は、論文表示セクション９０２に表示された論文のページを送るために操作される。本例では、論文の第１頁目が表示されているため、頁戻しアイコン９０３は操作不能となっている。
【０１２６】
第１のタブ９０５、第２のタブ９０６、第３のタブ９０７は、先行技術の検索方式を変更するために操作される。
【０１２７】
例えば、第１のタブ９０５を選択すると、新技術であると明示または示唆する部分に関連付けられる部分に記載された技術と同一または類似する技術を記載する先行文献を検索するモードとなる。例えば、入力欄９０８に何も入力しないで検索アイコン９０９を選択すると、上述した処理５００と同様の処理により、論文表示セクション９０２に表示されている論文から新技術であると明示または示唆する部分が抽出され、新技術であると明示または示唆する部分に関連付けられる部分が取得される。次いで、取得された部分に基づいた検索が行われ、検索結果が、先行文献表示セクション９１０に表示される。例えば、入力欄９０８に新技術であると明示または示唆する部分を入力して検索アイコン９０９を選択すると、上述した処理５００のステップＳ５０２と同様の処理により新技術であると明示または示唆する部分に関連付けられる部分が取得される。次いで、取得された部分に基づいた検索が行われ、検索結果が、先行文献表示セクション９１０に表示される。例えば、入力欄９０８に新技術であると明示または示唆する部分に関連付けられる部分を入力して検索アイコン９０９を選択すると、入力された部分に基づいた検索が行われ、検索結果が、先行文献表示セクション９１０に表示される。例えば、先行文献表示セクション９１０には、付すべき引用文献のレコメンドとして表示され得る。
【０１２８】
例えば、第２のタブ９０６を選択すると、既存技術であると明示または示唆する部分に関連付けられる部分に記載された技術と同一または類似する技術を記載する先行文献を検索するモードとなる。例えば、入力欄９０８に何も入力しないで検索アイコン９０９を選択すると、上述した処理６００と同様の処理により、論文表示セクション９０２に表示されている論文から既存技術であると明示または示唆する部分が抽出され、既存技術であると明示または示唆する部分に関連付けられる部分が取得される。次いで、取得された部分に基づいた検索が行われ、検索結果が、先行文献表示セクション９１０に表示される。例えば、入力欄９０８に既存技術であると明示または示唆する部分を入力して検索アイコン９０９を選択すると、上述した処理６００のステップＳ６０２と同様の処理により既存技術であると明示または示唆する部分に関連付けられる部分が取得される。次いで、取得された部分に基づいた検索が行われ、検索結果が、先行文献表示セクション９１０に表示される。例えば、入力欄９０８に既存技術であると明示または示唆する部分に関連付けられる部分を入力して検索アイコン９０９を選択すると、入力された部分に基づいた検索が行われ、検索結果が、先行文献表示セクション９１０に表示される。例えば、先行文献表示セクション９１０には、付すべき引用文献のレコメンドとして表示され得る。
【０１２９】
例えば、第３のタブ９０７を選択すると、新技術であると明示または示唆する部分および既存技術であると明示または示唆する部分に関連付けられる部分を除くことによって残った部分に記載された技術と同一または類似する技術を記載する先行文献を検索するモードとなる。例えば、入力欄９０８に何も入力しないで検索アイコン９０９を選択すると、上述した処理７００と同様の処理により、論文表示セクション９０２に表示されている論文から、技術を記載する部分を抽出し、抽出された部分のうち、新技術であると明示または示唆する部分および既存技術であると明示または示唆する部分に関連付けられる部分が除かれ、残った部分が取得される。次いで、取得された部分に基づいた検索が行われ、検索結果が、先行文献表示セクション９１０に表示される。例えば、入力欄９０８に新技術であると明示または示唆する部分または既存技術であると明示または示唆する部分を入力して検索アイコン９０９を選択すると、上述した処理５００のステップＳ５０２または処理６００のステップＳ６０２と同様の処理により新技術であると明示または示唆する部分に関連付けられる部分または既存技術であると明示または示唆する部分に関連付けられる部分が取得される。次いで、取得された部分に基づいた検索が行われ、検索結果が、先行文献表示セクション９１０に表示される。例えば、入力欄９０８に新技術であると明示または示唆する部分に関連付けられる部分または既存技術であると明示または示唆する部分に関連付けられる部分を入力して検索アイコン９０９を選択すると、入力された部分に基づいた検索が行われ、検索結果が、先行文献表示セクション９１０に表示される。例えば、先行文献表示セクション９１０には、付すべき引用文献のレコメンドとして表示され得る。
このようにして、査読者は、画面９００を通じて先行文献の検索を行い、検索の結果を参照して、論文を学術誌に掲載を許可（ａｃｃｅｐｔ）するか、拒絶する（ｒｅｊｅｃｔ）か、改訂（ｒｅｖｉｓｅ）を要求するかの示唆をし得る。
【０１３０】
本開示は、上述した実施形態に限定されるものではない。本開示は、特許請求の範囲によってのみその範囲が解釈されるべきであることが理解される。当業者は、本開示の具体的な好ましい実施形態の記載から、本開示の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【０１３１】
本開示は、学術文献に記載された技術の新規性の判断を支援するための方法、プログラム、およびシステムを提供するものとして有用である。
【符号の説明】
【０１３２】
１０  論文執筆者
２０  出版社
２０Ａ  編集者
２０Ｂ  編集者
３０  査読者
１００  システム
１１０  インターフェース部
１２０  プロセッサ部
１３０  メモリ部
２００  データベース部
【要約】
【課題】学術文献に記載された技術の新規性の判断を支援するための方法を提供すること。
【解決手段】本開示は、学術文献に記載された技術の新規性の判断を支援するための方法を提供し、本方法は、前記学術文献内の文章の少なくとも一部を取得すること（ステップＳ４０１）と、前記文章の少なくとも一部に基づいて、前記学術文献に記載された技術と同一または類似する技術を記載する先行文献を検索すること（ステップＳ４０２）と、前記先行文献の存否を提示すること（ステップＳ４０３）とを含む。
【選択図】図４【図１Ａ】
0006765696.tif 000002
【図１Ｂ】
0006765696.tif 000003
【図１Ｃ】
0006765696.tif 000004
【図１Ｄ】
0006765696.tif 000005
【図２】
0006765696.tif 000006
【図３】
0006765696.tif 000007
【図４】
0006765696.tif 000008
【図５】
0006765696.tif 000009
【図６】
0006765696.tif 000010
【図７】
0006765696.tif 000011
【図８】
0006765696.tif 000012
【図９】
0006765696.tif 000013